【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
ペット型又は漫画等のキャラクタ型の有体物であって、
一つ又は複数の「自ら（ペット型又は漫画等のキャラクタ型の有体物）の内部に生存する電子生物（前記ペット型又は漫画等のキャラクタ型の有体物の分身となる電子生物を含む）が主体となっており他のペット型又は漫画等のキャラクタ型の有体物の内部に生存する他の電子生物（前記他のペット型又は漫画等のキャラクタ型の有体物の分身となる他の電子生物を含む）が相手方となっているメッセージ（ここでの『メッセージ』は『鳴き声によるメッセージ』を含む。以下同じ。）」を、記録するメッセージ記録手段と、
前記電波等受信手段が受信した電波等に基づいて取得した、前記「前記他のペット型又は漫画等のキャラクタ型の有体物の内部に生存する他の電子生物が主体となっており、前記他のペット型又は漫画等のキャラクタ型の有体物とは別のペット型又は漫画等のキャラクタ型の有体物（自らを含む）の内部に生存する電子生物が相手方となっているメッセージ」を、出力する出力手段と、
を備えたことを特徴とする、ペット型又は漫画等のキャラクタ型の有体物。
【請求項２】
ペット型又は漫画等のキャラクタ型の有体物であって、
一つ又は複数の「自ら（ペット型又は漫画等のキャラクタ型の有体物）の内部に生存する電子生物（前記ペット型又は漫画等のキャラクタ型の有体物の分身となる電子生物を含む）が主体となっており他のペット型又は漫画等のキャラクタ型の有体物の内部に生存する他の電子生物（前記他のペット型又は漫画等のキャラクタ型の有体物の分身となる他の電子生物を含む）が相手方となっているメッセージ（ここでの『メッセージ』は『鳴き声によるメッセージ』を含む。以下同じ。）」を、記録するメッセージ記録手段と、
前記メッセージ記録手段に記録された「自ら（ペット型又は漫画等のキャラクタ型の有体物）の内部に生存する電子生物が主体となっており他のペット型又は漫画等のキャラクタ型の有体物の内部に生存する他の電子生物が相手方となっているメッセージ」を乗せた若しくは一体化した、電波もしくは赤外線」を、近距離無線がカバーする範囲内の近傍に存在する他のペット型又は漫画等のキャラクタ型の有体物に、インターネットなどの公衆ネットワークを介すること無く直接に、届くように、ユーザーによる事前の操作もしくは設定に基づいて、「送信時におけるユーザーによる特別な操作」を介すること無く自動的に、近距離無線のみにより発信する電波等発信手段と、
他のペット型又は漫画等のキャラクタ型の有体物から発信された「前記他のペット型又は漫画等のキャラクタ型の有体物の内部に生存する他の電子生物が主体となっており、前記他のペット型又は漫画等のキャラクタ型の有体物の内部に生存する他の電子生物とは別のペット型又は漫画等のキャラクタ型の有体物（自らを含む）の内部に生存する電子生物が相手方となっているメッセージ」を乗せた若しくは一体化した、電波もしくは赤外線」を、近距離無線のみにより、インターネットなどの公衆ネットワークを介すること無く直接に、受信する電波等受信手段と、
前記電波等受信手段が受信した電波等に基づいて取得した、前記「前記他のペット型又は漫画等のキャラクタ型の有体物の内部に生存する他の電子生物が主体となっており、前記他のペット型又は漫画等のキャラクタ型の有体物とは別のペット型又は漫画等のキャラクタ型の有体物（自らを含む）の内部に生存する電子生物が相手方となっているメッセージ」を、出力する出力手段と、
を備えたことを特徴とする、ペット型又は漫画等のキャラクタ型の有体物。
【請求項３】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、「自らの電子生物が主体となって相手方である他の電子生物に向けて伝達する伝達情報」として、一つ若しくは複数の伝達情報を、特定又は取得する伝達情報取得等手段と、
「自らの電子生物の名前若しくは画像（前記名前若しくは画像は、前記伝達情報記憶手段に記憶されているものであってもよい。）又はそれを示す情報」と「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項４】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項５】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、『自らの電子生物が主体となって相手方である他の電子生物に向けて伝達する伝達情報』として、一つ若しくは複数の伝達情報を、特定又は取得する伝達情報取得等手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項６】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項７】
ペット型又は漫画等のキャラクタ型の有体物であって、
一つ又は複数の「自ら（ペット型又は漫画等のキャラクタ型の有体物）の内部に生存する電子生物（前記ペット型又は漫画等のキャラクタ型の有体物の分身となる電子生物を含む）が主体となっており他のペット型又は漫画等のキャラクタ型の有体物の内部に生存する他の電子生物（前記他のペット型又は漫画等のキャラクタ型の有体物の分身となる他の電子生物を含む）が相手方となっているメッセージ（ここでの『メッセージ』は『鳴き声によるメッセージ』を含む。以下同じ。）」を、記録するメッセージ記録手段と、
前記メッセージ記録手段に記録された「自ら（ペット型又は漫画等のキャラクタ型の有体物）の内部に生存する電子生物が主体となっており他のペット型又は漫画等のキャラクタ型の有体物の内部に生存する他の電子生物が相手方となっているメッセージ」を乗せた若しくは一体化した、電波もしくは赤外線」を、近距離無線がカバーする範囲内の近傍に存在する他のペット型又は漫画等のキャラクタ型の有体物に、インターネットなどの公衆ネットワークを介すること無く直接に、届くように、ユーザーによる事前の操作もしくは設定に基づいて、「送信時におけるユーザーによる特別な操作」を介すること無く自動的に、近距離無線のみにより発信する電波等発信手段と、
他のペット型又は漫画等のキャラクタ型の有体物から発信された「前記他のペット型又は漫画等のキャラクタ型の有体物の内部に生存する他の電子生物が主体となっており、前記他のペット型又は漫画等のキャラクタ型の有体物の内部に生存する他の電子生物とは別のペット型又は漫画等のキャラクタ型の有体物（自らを含む）の内部に生存する電子生物が相手方となっているメッセージ」を乗せた若しくは一体化した、電波もしくは赤外線」を、近距離無線のみにより、インターネットなどの公衆ネットワークを介すること無く直接に、受信する電波等受信手段と、
前記電波等受信手段が受信した電波等に基づいて取得した、前記「前記他のペット型又は漫画等のキャラクタ型の有体物の内部に生存する他の電子生物が主体となっており、前記他のペット型又は漫画等のキャラクタ型の有体物とは別のペット型又は漫画等のキャラクタ型の有体物（自らを含む）の内部に生存する電子生物が相手方となっているメッセージ」を、出力する出力手段と、
を備えたことを特徴とする、ペット型又は漫画等のキャラクタ型の有体物。
【請求項８】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、「自らの電子生物が主体となって相手方である他の電子生物に向けて伝達する伝達情報」として、一つ若しくは複数の伝達情報を、特定又は取得する伝達情報取得等手段と、
「自らの電子生物の名前若しくは画像（前記名前若しくは画像は、前記伝達情報記憶手段に記憶されているものであってもよい。）又はそれを示す情報」と「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項９】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１０】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、『自らの電子生物が主体となって相手方である他の電子生物に向けて伝達する伝達情報』として、一つ若しくは複数の伝達情報を、特定又は取得する伝達情報取得等手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１１】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１２】
ペット型又は漫画等のキャラクタ型の有体物であって、
一つ又は複数の「自ら（ペット型又は漫画等のキャラクタ型の有体物）の内部に生存する電子生物（前記ペット型又は漫画等のキャラクタ型の有体物の分身となる電子生物を含む）が主体となっており他のペット型又は漫画等のキャラクタ型の有体物の内部に生存する他の電子生物（前記他のペット型又は漫画等のキャラクタ型の有体物の分身となる他の電子生物を含む）が相手方となっているメッセージ（ここでの『メッセージ』は『鳴き声によるメッセージ』を含む。以下同じ。）」を、記録するメッセージ記録手段と、
前記メッセージ記録手段に記録された「自ら（ペット型又は漫画等のキャラクタ型の有体物）の内部に生存する電子生物が主体となっており他のペット型又は漫画等のキャラクタ型の有体物の内部に生存する他の電子生物が相手方となっているメッセージ」を乗せた若しくは一体化した、電波もしくは赤外線」を、近距離無線がカバーする範囲内の近傍に存在する他のペット型又は漫画等のキャラクタ型の有体物に、インターネットなどの公衆ネットワークを介すること無く直接に、届くように、ユーザーによる事前の操作もしくは設定に基づいて、「送信時におけるユーザーによる特別な操作」を介すること無く自動的に、近距離無線のみにより発信する電波等発信手段と、
他のペット型又は漫画等のキャラクタ型の有体物から発信された「前記他のペット型又は漫画等のキャラクタ型の有体物の内部に生存する他の電子生物が主体となっており、前記他のペット型又は漫画等のキャラクタ型の有体物の内部に生存する他の電子生物とは別のペット型又は漫画等のキャラクタ型の有体物（自らを含む）の内部に生存する電子生物が相手方となっているメッセージ」を乗せた若しくは一体化した、電波もしくは赤外線」を、近距離無線のみにより、インターネットなどの公衆ネットワークを介すること無く直接に、受信する電波等受信手段と、
前記電波等受信手段が受信した電波等に基づいて取得した、前記「前記他のペット型又は漫画等のキャラクタ型の有体物の内部に生存する他の電子生物が主体となっており、前記他のペット型又は漫画等のキャラクタ型の有体物とは別のペット型又は漫画等のキャラクタ型の有体物（自らを含む）の内部に生存する電子生物が相手方となっているメッセージ」を、出力する出力手段と、
を備えたことを特徴とする、ペット型又は漫画等のキャラクタ型の有体物。
【請求項１３】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、「自らの電子生物が主体となって相手方である他の電子生物に向けて伝達する伝達情報」として、一つ若しくは複数の伝達情報を、特定又は取得する伝達情報取得等手段と、
「自らの電子生物の名前若しくは画像（前記名前若しくは画像は、前記伝達情報記憶手段に記憶されているものであってもよい。）又はそれを示す情報」と「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１４】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１５】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、『自らの電子生物が主体となって相手方である他の電子生物に向けて伝達する伝達情報』として、一つ若しくは複数の伝達情報を、特定又は取得する伝達情報取得等手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１６】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１７】
ペット型又は漫画等のキャラクタ型の有体物であって、
一つ又は複数の「自ら（ペット型又は漫画等のキャラクタ型の有体物）の内部に生存する電子生物（前記ペット型又は漫画等のキャラクタ型の有体物の分身となる電子生物を含む）が主体となっており他のペット型又は漫画等のキャラクタ型の有体物の内部に生存する他の電子生物（前記他のペット型又は漫画等のキャラクタ型の有体物の分身となる他の電子生物を含む）が相手方となっているメッセージ（ここでの『メッセージ』は『鳴き声によるメッセージ』を含む。以下同じ。）」を、記録するメッセージ記録手段と、
前記メッセージ記録手段に記録された「自ら（ペット型又は漫画等のキャラクタ型の有体物）の内部に生存する電子生物が主体となっており他のペット型又は漫画等のキャラクタ型の有体物の内部に生存する他の電子生物が相手方となっているメッセージ」を乗せた若しくは一体化した、電波もしくは赤外線」を、近距離無線がカバーする範囲内の近傍に存在する他のペット型又は漫画等のキャラクタ型の有体物に、インターネットなどの公衆ネットワークを介すること無く直接に、届くように、ユーザーによる事前の操作もしくは設定に基づいて、「送信時におけるユーザーによる特別な操作」を介すること無く自動的に、近距離無線のみにより発信する電波等発信手段と、
他のペット型又は漫画等のキャラクタ型の有体物から発信された「前記他のペット型又は漫画等のキャラクタ型の有体物の内部に生存する他の電子生物が主体となっており、前記他のペット型又は漫画等のキャラクタ型の有体物の内部に生存する他の電子生物とは別のペット型又は漫画等のキャラクタ型の有体物（自らを含む）の内部に生存する電子生物が相手方となっているメッセージ」を乗せた若しくは一体化した、電波もしくは赤外線」を、近距離無線のみにより、インターネットなどの公衆ネットワークを介すること無く直接に、受信する電波等受信手段と、
前記電波等受信手段が受信した電波等に基づいて取得した、前記「前記他のペット型又は漫画等のキャラクタ型の有体物の内部に生存する他の電子生物が主体となっており、前記他のペット型又は漫画等のキャラクタ型の有体物とは別のペット型又は漫画等のキャラクタ型の有体物（自らを含む）の内部に生存する電子生物が相手方となっているメッセージ」を、出力する出力手段と、
を備えたことを特徴とする、ペット型又は漫画等のキャラクタ型の有体物。
【請求項１８】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、「自らの電子生物が主体となって相手方である他の電子生物に向けて伝達する伝達情報」として、一つ若しくは複数の伝達情報を、特定又は取得する伝達情報取得等手段と、
「自らの電子生物の名前若しくは画像（前記名前若しくは画像は、前記伝達情報記憶手段に記憶されているものであってもよい。）又はそれを示す情報」と「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項１９】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、
有体物から近距離無線のみにより発信された前記のような電波又は赤外線を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【請求項２０】
自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、『自らの電子生物が主体となって相手方である他の電子生物に向けて伝達する伝達情報』として、一つ若しくは複数の伝達情報を、特定又は取得する伝達情報取得等手段と、
「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、
「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、
を備えたことを特徴とする、ユーザーにより携帯可能なタイプの、ペット型又は漫画等のキャラクタ型の有体物。
【手続補正２】
【補正対象書類名】明細書
【補正対象項目名】０００５
【補正方法】変更
【補正の内容】
【０００５】
まず、上記の「ラブゲッティ」やアステル関西の「新型ＰＨＳ」は、道路通行中などに偶然近くに居る他の端末に所定の信号を送信して、知り合いになったり話したりする「切っ掛け」を与えるものであるが、いずれも、「擬似ペットを介在させること」は全く予想されていない。
他方、上記の「たまごっち」は電子ペットなどの「仮想的な電子生物」を育成する装置であるが、他のユーザーとの交流は、あくまでユーザー同士の交流で、「たまごっち」の装置同士が、「ユーザーのイニシアチブ（ユーザーの特別な操作など）なしに自発的・自動的に交流・交信すること」は、全く予定されていない。さらに、上記の「デジモン」「ポケモン」などは、2人以上のプレーヤが集まって、それぞれの装置を電気的に接続して「デジモン」のキャラクタ又は「ポケモン」のキャラクタを戦わせて勝敗を競うことが行われるが、それは、あくまでユーザー（プレーヤ）同士の合意に基づいて行うだけで、「デジモン」の育成機器同士や「ポケモン」のゲーム機器同士が「（ユーザーに関係なく）勝手に自発的に交信・交流すること」は、全く予定されていない。また、特に、前記の「たまごっち」や「デジモン」は、液晶画面上にのみ存在する「仮想的な電子生物（電子ペット・キャラクターを示すデジタルデータ）」に過ぎないから、ユーザーが実際に自分の手で撫でて親しんだりするための「肉体として機能する部分」は有していないので、ユーザーにとっても、電子ペットに対する親しみはあくまで「仮想的な体験」に止まっしまうという欠点がある。
また、前記の電子ペット育成・飼育装置の出願公開公報の中には、携帯機器同士の間で、電子ペット・キャラクタのデータを無線でやり取りすることが開示されている。例えば、特開平８−３０９０３２号公報には、「他の電子手帳の赤外線通信回路１５から送信された犬キャラクタデータの種類データとその誕生日データとが、この電子手帳における赤外線通信回路１５を介して受信される」（同公報の明細書の段落番号００３５）ことや、この他の電子手帳から送信されたキャラクタとの「お見合い処理」などのアイデアが、開示されている。しかしながら、この公開公報における他の電子手帳からの犬キャラクタの送信は、ユーザー同士が予め話し合った上で行うことを前提としており、「２人以上のユーザーが、たまたま偶然に、近くに居合わせたときに、各ユーザーが連れている擬似ペット（肉体の機能を有する部分を備えているもの）が、自動的（自発的）に他方に挨拶などを送信し又は他方からの挨拶などを受信すること」は、全く想定されていない。
本発明者は、「肉体として機能する部分を備えた擬似ペット」を、単なる「縫いぐるみ、おもちゃ、などのようなユーザーが親しむためのもの」としてではなく、人間同士の実際の「コミュニケーションのためのツール」とするのが妥当だと考える。すなわち、本発明者は、「肉体として機能する部分を備えた擬似ペット」を、「ユーザーの親しみなどの感情移入の対象としたりユーザーの寂しさを和らげるためのもの」としてだけの意味を有するものにと止めるのではなく、たまたま近くに居合わせた各擬似ペットが自動的（自発的）に他方に挨拶などを送信し又は他方からの挨拶などを受信し、ひいては、そのような動作が「切っ掛け」となって、擬似ペットのユーザー同士のコミュニケーションの開始や交流促進に結びつくような技術を開発することが必要である、と考えた。
【手続補正３】
【補正対象書類名】明細書
【補正対象項目名】０００６
【補正方法】変更
【補正の内容】
【０００６】
本発明はこのような課題に着目してなされたものであって、現実空間（仮想ではない現実の世界）において、近くに居合わせたユーザーたちに（特に、たまたま近くに居合わせた互いに知らないユーザーたちに）、互いのコミュニケーションを開始したり互いの交流を活発化するための「切っ掛け」を与えることが期待できるようにし、「現実のペットなどの生物（現実の日常空間において、現実のペットなどの生物の所有者同士が現実のペットなどの生物を『仲立ち』又は『切っ掛け』として知り合いになったり会話を活発化させたりするなどのような、現実空間において互いに実際に近くに居るユーザー同士の生身のコミュニケーションの開始又は促進に現実に寄与することがある、現実のペットなどの生物）に、より一層近づいた「ペット型又は漫画等のキャラクタ型の有体物」を提供する、ことを目的とする。
【手続補正４】
【補正対象書類名】明細書
【補正対象項目名】０００８
【補正方法】変更
【補正の内容】
【０００８】
本願の特許請求の範囲に記載した発明は次のとおりである。
１．ペット型又は漫画等のキャラクタ型の有体物であって、一つ又は複数の「自ら（ペット型又は漫画等のキャラクタ型の有体物）の内部に生存する電子生物（前記ペット型又は漫画等のキャラクタ型の有体物の分身となる電子生物を含む）が主体となっており他のペット型又は漫画等のキャラクタ型の有体物の内部に生存する他の電子生物（前記他のペット型又は漫画等のキャラクタ型の有体物の分身となる他の電子生物を含む）が相手方となっているメッセージ（ここでの『メッセージ』は『鳴き声によるメッセージ』を含む。以下同じ。）」を、記録するメッセージ記録手段と、前記メッセージ記録手段に記録された「自ら（ペット型又は漫画等のキャラクタ型の有体物）の内部に生存する電子生物が主体となっており他のペット型又は漫画等のキャラクタ型の有体物の内部に生存する他の電子生物が相手方となっているメッセージ」を乗せた若しくは一体化した、電波もしくは赤外線」を、近距離無線がカバーする範囲内の近傍に存在する他のペット型又は漫画等のキャラクタ型の有体物に、インターネットなどの公衆ネットワークを介すること無く直接に、届くように、ユーザーによる事前の操作もしくは設定に基づいて、「送信時におけるユーザーによる特別な操作」を介すること無く自動的に、近距離無線のみにより発信する電波等発信手段と、他のペット型又は漫画等のキャラクタ型の有体物から発信された「前記他のペット型又は漫画等のキャラクタ型の有体物の内部に生存する他の電子生物が主体となっており、前記他のペット型又は漫画等のキャラクタ型の有体物の内部に生存する他の電子生物とは別のペット型又は漫画等のキャラクタ型の有体物（自らを含む）の内部に生存する電子生物が相手方となっているメッセージ」を乗せた若しくは一体化した、電波もしくは赤外線」を、近距離無線のみにより、インターネットなどの公衆ネットワークを介すること無く直接に、受信する電波等受信手段と、前記電波等受信手段が受信した電波等に基づいて取得した、前記「前記他のペット型又は漫画等のキャラクタ型の有体物の内部に生存する他の電子生物が主体となっており、前記他のペット型又は漫画等のキャラクタ型の有体物とは別のペット型又は漫画等のキャラクタ型の有体物（自らを含む）の内部に生存する電子生物が相手方となっているメッセージ」を、出力する出力手段と、を備えたことを特徴とする、ペット型又は漫画等のキャラクタ型の有体物。
２．自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、「自らの電子生物が主体となって相手方である他の電子生物に向けて伝達する伝達情報」として、一つ若しくは複数の伝達情報を、特定又は取得する伝達情報取得等手段と、「自らの電子生物の名前若しくは画像（前記名前若しくは画像は、前記伝達情報記憶手段に記憶されているものであってもよい。）又はそれを示す情報」と「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、有体物から近距離無線のみにより発信された前記のような電波又は赤外線を、近距離無線のみにより、インターネットなどの公衆通信網を介することなく直接に受信する電波等受信手段と、を備えたことを特徴とする、ユーザーにより携帯可能なタイプの、ペット型又は漫画等のキャラクタ型の有体物。
３．自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」と「前記伝達情報記憶手段に記憶される若しくは記憶されていた情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する電波等発信手段と、有体物から近距離無線のみにより発信された前記のような電波又は赤外線を、近距離無線のみにより、インターネットなどの公衆通信網を介することなく直接に受信する電波等受信手段と、を備えたことを特徴とする、ユーザーにより携帯可能なタイプの、ペット型又は漫画等のキャラクタ型の有体物。
４．自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）を記憶している伝達情報記憶手段から、『自らの電子生物が主体となって相手方である他の電子生物に向けて伝達する伝達情報』として、一つ若しくは複数の伝達情報を、特定又は取得する伝達情報取得等手段と、「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、を備えたことを特徴とする、ユーザーにより携帯可能なタイプの、ペット型又は漫画等のキャラクタ型の有体物。
５．自ら（有体物）の内部で生存または活動している電子生物（以下「自らの電子生物」という。なお、「電子生物」は「電子的人間キャラクタ」を含む。）と他の有体物の内部で生存又は活動している他の電子生物（以下「他の電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「電子生物から他の電子生物へ伝達される、電子生物の思想、感情又は意思を含む情報である、メッセージ」と、（ｂ）自らの電子生物若しくはそのユーザーの名前、顔などの画像、鳴き声、誕生日、星座、血液型、年齢、好きな食べ物、好きな遊び、若しくはその他のプロフィールなどの「電子生物から他の電子生物へ伝達される、電子生物の思想、感情若しくは意思を含まない、自らの電子生物若しくはそのユーザーに関する事実又はそれを示す情報」と、（ｃ）ジャンケン・ゲームにおけるグー、チョキ及びパーのいずれか１つ、又はＡＢＣ３回戦ゲームにおけるＡ、Ｂ及びＣのいずれか１つなどの「電子生物から他の電子生物へ伝達される、電子生物の思想、感情若しくは意思を含まない、何らかの意味を有する単語又はそれを示す情報」とのいずれかを含み、情報の形態又は種類としては、文字、画像、音声又は音響を含む。）であって、自らの電子生物が伝達の主体となっており他の電子生物が伝達の相手方となっている一つ若しくは複数の伝達情報を、記憶する若しくは記憶しておく伝達情報記憶手段と、「自らの電子生物の名前若しくは画像（前記名前若しくは画像は、前記伝達情報記憶手段に記憶されたものであってもよいし、前記伝達情報記憶手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第１電波等発信手段と、「前記伝達情報取得等手段により特定又は取得された情報又はそれを示す若しくはそれから得られた情報であって、『自らの電子生物が主体となって相手方である他の電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、近距離無線のみにより発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、近距離無線のみにより、インターネットなどの公衆通信網を介することなく直接に受信する電波等受信手段と、を備えたことを特徴とする、ユーザーにより携帯可能なタイプの、ペット型又は漫画等のキャラクタ型の有体物。
【手続補正５】
【補正対象書類名】明細書
【補正対象項目名】００１０
【補正方法】変更
【補正の内容】
【００１０】
本発明においては、（ａ）各「ペット型又は漫画等のキャラクタ型の有体物」が、自らが伝達の主体となっているメッセージその他の伝達情報を乗せた若しくは一体化した電波もくしは赤外線を、近距離無線でカバーする範囲内の近傍に存在する「他のペット型又は漫画等のキャラクタ型の有体物」に、インターネットなどの公衆ネットワークを介すること無く直接に、届くように、近距離無線のみにより発信することができ、且つ（ｂ）各「ペット型又は漫画等のキャラクタ型の有体物」が、「他のペット型又は漫画等のキャラクタ型の有体物」から発信された前記電波等を、インターネットなどの公衆ネットワークを介すること無く直接に、近距離無線のみにより受信することができるという構成（技術的思想）を採用したので、「ユーザーから見ると（見掛け上）、「互いに近傍に居る少なくとも２つの『ペット型又は漫画等のキャラクタ型の有体物』が自然に『コミュニケーション（一方から他方への情報の伝達を含む）』を開始し又は行っているかのような状態」が自動的に作出されるようになるため、このような「状態」が自動的に（ユーザーから見ると自然な形で）作出されることを通じて、現実空間（仮想ではない現実の世界）において、近くに居合わせたユーザーたちに（特に、たまたま近くに居合わせた互いに知らないユーザーたちに）、互いのコミュニケーションを開始したり互いの交流を活発化するための「切っ掛け」を与えることが期待できるようになり、「現実のペットなどの生物（現実の日常空間において、現実のペットなどの生物の所有者同士が現実のペットなどの生物を『仲立ち』又は『切っ掛け』として知り合いになったり会話を活発化させたりするなどのような、現実空間において互いに実際に近くに居るユーザー同士の生身のコミュニケーションの開始又は促進に現実に寄与することがある、現実のペットなどの生物）に、より一層近づいた「ペット型又は漫画等のキャラクタ型の有体物」を提供すること、ができるようになる。
【手続補正６】
【補正対象書類名】明細書
【補正対象項目名】００２２
【補正方法】変更
【補正の内容】
【００２２】
以上のように、本実施形態では、それぞれが擬似ペットを連れているユーザーが互いに近傍のエリア内に入るように近づいた場合、各擬似ペットは、それぞれ自発的・自動的に（つまり、ユーザーの特別な操作を待つことなく）、「挨拶（挨拶信号）」を、他の擬似ペットに届くように近距離無線で送信し、他の擬似ペットはそれを受信する。また、各擬似ペットは、それぞれ自発的・自動的に（つまり、ユーザーの特別な操作を待つことなく）、各擬似ペットに関するデータやその飼い主（ユーザー）に関するデータを、他の擬似ペットに届くように近距離無線で送信し、他の擬似ペットはそれを受信する。よって、各ユーザーは、擬似ペットを介して、つまり擬似ペットを「切っ掛け」として、立ち止まって、初対面や再会のための挨拶や会話をしたり、友人（親しい友人）となることが期待できる。よって、本実施形態によれば、擬似ペット又は擬似ペットの新しい機能・役割（ユーザー同士のコミュニケーションの「切っ掛け」となるという機能・役割）を付与して、その付加価値をより高めることができる。
【手続補正７】
【補正対象書類名】明細書
【補正対象項目名】００３４
【補正方法】変更
【補正の内容】
【００３４】
なお、本実施形態では、擬似ペットとして、「犬形（犬型）」などの「従来からのペット」と同じ形態をした擬似ペットを示しているが、本発明はこれに限られるものではなく、例えば、漫画キャラクターなどを擬した形態のものでもよい。とにかく、ユーザーとの間で「何らかのやり取り」ができるような擬似ペットであって、「肉体として機能する部分」を備えたものであれば、本発明における「擬似ペット」に含まれる。また、このような擬似ペットが、ユーザーと道路ですれ違う人が連れている他の擬似ペットに対して、ユーザーに代わって、「友達になりましょう」「友達募集中です」などのメッセージを送信する（又は他の擬似ペットからの前記のようなメッセージを受信する）ようにしてもよい。